(57)【要約】  本発明は一体型アウトソールが備えられる５本指靴に関し、使用者の足指の中の一つ以上が個別に安置されることができるように、靴の先端部が二つ以上に分離される足指挿入部が備えられる甲被と、上記足指挿入部を含む甲被の底部を全て収容しながら上記甲被の底部に結合され、上記足指挿入部の分離された形状によって分離されることなく上記足指挿入部が結合される部分が一体化されて形成されるアウトソールと、上記足指挿入部の全部または一部を包んで覆うカバーとを含むことを特徴とする一体型アウトソールが備えられる５本指靴に関する。本発明によれば、足指の通気などのような機能を保持し、且つ地面の異物から足を容易に保護することができ、靴の汚染を防止してさらに清潔に保持して使用することができる。
2013502973.tif 000002
【特許請求の範囲】
【請求項１】
使用者の足の指の中の一つ以上が個別に安置されることができるように、靴の先端部が二つ以上に分離される足指挿入部が備えられる甲被と；上記足指挿入部を含む甲被の底部を全て収容しながら上記甲被の底部に結合され、上記足指挿入部の分離された形状によって分離されることなく上記足指挿入部が結合される部分が一体化されて形成されるアウトソールと；上記足指挿入部の全部または一部を包んで覆うカバーと；を含むことを特徴とする一体型アウトソールが備えられる５本指靴。
【請求項２】
上記カバーは上記アウトソールと一体型に形成されることを特徴とする請求項１に記載の一体型アウトソールが備えられる５本指靴。
【請求項３】
上記甲被は上記カバーが備えられるアウトソールに任意に着脱可能に結合されることを特徴とする請求項１または請求項２に記載の一体型アウトソールが備えられる５本指靴。
【請求項４】
上記甲被の底部には上記甲被の底部の形状による靴底がさらに備えられることを特徴とする請求項３に記載の一体型アウトソールが備えられる５本指靴。
【請求項５】
上記甲被の外部には補助カバーがさらに備えられることを特徴とする請求項１、請求項２、請求項４の中の何れか一項に記載の一体型アウトソールが備えられる５本指靴。
【請求項６】
上記甲被の外部には補助カバーがさらに備えられることを特徴とする請求項３に記載の一体型アウトソールが備えられる５本指靴。
【発明の詳細な説明】
【技術分野】
【０００１】
本発明は一体型アウトソールが備えられる５本指靴に関し、さらに詳しくは、使用者の足指の中の一つ以上が個別に安置されることができるように靴の先端部が二つ以上に分離される足指挿入部が備えられる甲被と、上記足指挿入部を含む甲被の底部を全て収容しながら上記甲被の底部に結合され、上記足指挿入部の分離された形状によって分離されることなく上記足指挿入部が結合される部分が一体化されて形成されるアウトソールと、上記足指挿入部の全部または一部を包んで覆うカバーとを含むことを特徴とする一体型アウトソールが備えられる５本指靴に関する。
【背景技術】
【０００２】
直立歩行をする人間の特性上、睡眠及び休み時間を除いては運動靴または革靴などのような靴を着用した状態で大部分の時間を過ごす。靴とは、基本的に人の直接歩行手段である足を保護するためのものであったが、現在には衣類と同じく一つのファッション用品としての機能がさらに強調されている実情である。
【０００３】
従って、見掛けが重要視されたデザインの靴が選好され、このような現象は女性用靴においてさらに著しく現われている。靴の幅が狭くて先の尖っている靴、踵が高いハイヒール、プラットフォーム・ソールなどが代表的な例として挙げられるが、このような靴は見掛けは良いかも知れないが、元々人間の足の形状に従って作られたものではないため、各種足部疾患を誘発する問題点があった。
【０００４】
一方、足を刺激して健康増進及び集中力の向上、成長板の刺激などの機能を備えるより進歩的で最先端の靴が持続的に開発されている趨勢である。このような趨勢の一環として、大韓民国実用新案登録出願第２０−２００６−００２４９１４号と大韓民国登録特許第１０−０８６９４５１のように、靴の前足部が人の足のように５つの足指が個別的にそれぞれ安置されることができるように５つの足指挿入部で分離して形成された５本指靴が先出願された。
【０００５】
上述したように、甲被の前足部位が足指の形態によって５つに分離されて５つの足指挿入部が形成され、上記分離された各足指挿入部の形状によって分離されて形成されたアウトソールが上記甲被の底に付着される上記５本指靴は、分離された各足指挿入部の間に硝子や釘などの鋭い異物が挿入されて、上記足指挿入部の側面甲被部分を貫通して足指を損傷させる虞があり、上記各足指挿入部の間に土、埃、水分などのような異物が付きやすくて早く汚れたり、汚染されやすい問題点もあった。
【０００６】
また、靴の前足部位が５つに分割された上記従来の５本指靴は、活動は容易であるが、足指形態に分離されている前足部位が人々に不慣れなデザインであることから見るだけで拒否感を感じさせることがあり、上記足指挿入部が５つに分離されて各足指挿入部に足指が個別的に挿入されることによって、道路の障害物などによる外部衝撃に対してすべての足指がその衝撃に対応することができず（即ち、その衝撃が分散されない）、その衝撃を受ける対象足指のみが衝撃を受けて、足指の離脱などによる足指骨折などを誘発することができる虞があった。また、靴の上部からの衝撃に対しても足指の保護が弱いという問題点があった。
【発明の概要】
【発明が解決しようとする課題】
【０００７】
そこで、本発明は上述した問題点を解決するためのもので、地面の異物から足を容易に保護することができる５本指靴を提供することを目的とする。
【０００８】
また、本発明は足の健康増進効果を有するとともに、靴をさらに清潔に保持しながら使用可能な５本指靴を提供することを他の目的とする。
【０００９】
また、本発明は足指が個別的に離脱されることを防止して足指の骨折などの事故を予防することができる５本指靴を提供することをまた他の目的とする。
【００１０】
また、本発明は見る人々にとって拒否感のない美的なデザインの５本指靴を提供することをまた他の目的とする。
【課題を解決するための手段】
【００１１】
本発明は上記目的を達するために発明されたもので、使用者の足指の中の一つ以上が個別に安置されることができるように靴の先端部が二つ以上に分離される足指挿入部が備えられる甲被と；上記足指挿入部を含む甲被の底部を全て収容しながら上記甲被の底部に結合され、上記足指挿入部の分離された形状によって分離されることなく上記足指挿入部が結合される部分が一体化されて形成されるアウトソールと；上記足指挿入部の全部または一部を包んで覆うカバーと；を含むことを特徴とする一体型アウトソールが備えられる５本指靴を技術的要旨とする。
【００１２】
上記カバーは上記アウトソールと一体型に形成されることを特徴とする。
【００１３】
上記甲被は上記カバーが備えられるアウトソールに任意に着脱可能に結合されることをまた他の特徴とする。
【００１４】
上記甲被の底部には上記甲被の底部の形状による靴底がさらに備えられることをまた他の特徴とする。
【００１５】
上記甲被の外部には補助カバーがさらに備えられることをまた他の特徴とする。
【発明の効果】
【００１６】
上述したような本発明によれば、足指挿入部の底面に付着されるアウトソールが互いに分離されないで一体型に形成されていて、足指の通気などのような機能を保持し、且つ地面の異物から足を容易に保護することができるという利点がある。
【００１７】
また、本発明によれば，５本指靴の底面には一体型アウトソールが構成され、前足部にはカバーが構成されることによって、上記５本指靴の汚染を防止し、且つさらに清潔に保持して使用することができるという利点がある。
【００１８】
また、本発明によれば、足指が個別的に離脱されることを防止して足指の骨折などの事故を未然に防止することができるという利点がある。
【００１９】
また、本発明によれば、見る人々にとって拒否感のない美的なデザインを提供するという利点がある。
【００２０】
また、本発明によれば、甲被部とアウトソール部が分離可能に構成されて、一つの５本指靴で室外履き及び室内履き両方使用可能な利点がある。
【図面の簡単な説明】
【００２１】
【図１】本発明による一体型アウトソールが備えられる５本指靴の側面図である。
【図２】本発明による一体型アウトソールが備えられる５本指靴の底面図である。
【図３】本発明による一体型アウトソールが備えられる５本指靴の他の実施形態による側面図である。
【図４】従来５本指靴の斜視図である。
【図５】従来５本指靴のアウトソールを示す底面図である。
【発明を実施するための形態】
【００２２】
以下では、本発明による好ましい実施形態を添付された図面を参照して詳しく説明する。本発明を説明するにおいて、係わる公知技術または構成に対する具体的な説明が本発明の要旨を不必要に曖昧にすることができると判断される場合にはその詳細な説明は省略する。
【００２３】
また、後述される用語は本発明における機能を考慮して定義された用語で、これは使用者、運用者の意図または慣例などによって異なることがあるので、一体型アウトソールが備えられる５本指靴を説明する本明細書の全体的内容に基づいて定義すべきである。
【００２４】
図１に示すように、本発明による一体型アウトソールが備えられる５本指靴１０は、大きく甲被２０、アウトソール３０及びカバー４０で構成される。
【００２５】
上記靴１０の甲被２０は、靴の先端部に５つの足指が全部個別的にそれぞれ挿入されることができるように足指挿入部２５が５つが備えられる５本指靴であってもよいが、親指のみ別途に挿入され、残りの足指は一緒に挿入されるように足指挿入部２５が２つ形成される５本指靴に形成されてもよく、親指と小指がそれぞれ別途に挿入され、残りの足指は一緒に挿入されるように足指挿入部２５が３つ形成される甲被２０に形成されてもよい。即ち、本発明における５本指靴１０はその先端部に形成される足指挿入部２５の個数と関係なく適用されることができる。
【００２６】
上記アウトソール３０は上記甲被２０の底面に付着され、緩衝作用と靴の形態の保持及び足裏を保護する機能をする部分で、全ての靴に備えられる構成要素である。しかし、上記背景技術で言及した５つの足指挿入部が備えられる５本指靴は、図４及び図５に示すように、上記アウトソールも５本指靴の甲被の形状と同じく足指挿入部が５つに分離された形状に構成されて上記甲被の底面に付着される。
【００２７】
しかし、本発明による上記アウトソール３０は、図２に示すように、上記二つ以上に分離された足指挿入部２５の形状に関係なく一体型に形成されることにその特徴がある。即ち、上記足指挿入部２５は二つ以上に互いに分離されて形成されるが、上記アウトソール３０は上記足指挿入部に対応される部分が分離されないで一体型に形成されている。このような構成によって、地面のガラス破片や釘などの異物から足指を充分に保護することができるとともに、地面からの衝撃を一つの足指に集中させないで複数の足指に分散して支えるようにするので、外部の刺激、衝撃によって足指が個別的に離脱して損傷されることを防止する。
【００２８】
一方、一般の靴の構成と同じく上記アウトソール３０と甲被２０との間にもミットソールが形成されることができる。また、インソールも備えられることができる。
【００２９】
上記カバー４０は、図１及び図３に示すように、靴の前足部に形成されるもので、上記足指挿入部２５の全部または一部を包んで覆う形態に構成される。上記図面では、足指挿入部２５の前端部と側面を覆う形状に構成されて、上記足指挿入部２５の上部がたくさん露出された形状に構成されることを示しているが、上記カバー２５は図示された形状に限定されないで、上記足指挿入部２５の上部全体まで全て包む形状に構成されることもできる。
【００３０】
また、上記カバー４０は上記アウトソール３０と別途に形成されて付着されることもでき、上記アウトソール３０と一体に形成されることもできる。
【００３１】
このように、上記５本指靴にカバー４０が備えられるが、一般の靴とは異なって足指を足の中心の方へ圧力が沢山かからないように構成して、使用者の足指が曲がる疾患からも自由になることができ、靴の前方や上部からの衝撃に対して足指を充分に保護することもできる。
【００３２】
一方、本発明による一体型アウトソールが備えられる５本指靴は、上記カバー４０とは別途に補助カバー５０がさらに備えられることができる。上記補助カバー５０の材質は布や革、ゴムなど何れの材質で構成されても構わなく、その形態も特に限定されないが、特にメッシュ状に構成されて通気性が優れるように構成されることが好ましい。また、上記補助カバー５０は、図１に示すように、上記カバー４０の端部に付着され、上記足指挿入部２５と靴の側面及び後面を覆うように構成されてもよく、上記足指挿入部２５を含む前足部位のみを覆うように構成されてもよい。また、上記補助カバー５０は上記カバー４０に連結されないで、上記甲被２０に付着されるように構成されてもよく、靴の外部に別途のアクセサリーを付着しながら、上記アクセサリーに付着させる方法で構成されることもできることは勿論、このような上記補助カバー５０の構成方法は特に限定されない。
【００３３】
一方、本発明による一体型アウトソールが備えられる５本指靴のまた他の実施形態が図３に示されている。図３は上記甲被２０と上記アウトソール３０が着脱可能に構成された一体型アウトソールが備えられる５本指靴を示している。このように、着脱可能に構成されることによって、上記甲被２０のみが別途に分離されて室内履きなどで使われることもできる。
【００３４】
この時、上記甲被２０の底には靴底が別途に備えられることができる。上記靴底は、上記分離された足指挿入部２５の形状に対応して同じく形成されて付着される。
【００３５】
上記甲被２０と上記アウトソール３０を結合する方法としては、図３に示すように、上記アウトソール３０で靴の側面に延長して形成される締結具６０を形成し、上記甲被２０にはリング状の固定具７０を形成し、上記締結具６０を上記固定具７０に嵌合した後、上記締結具６０の端部を靴の他側面に固定させる方法が利用されることができる。この時、上記アウトソール３０の形状もその後足部の形状を示すように扁平に形成して容易に着脱することができ、着用感よく構成することができるとともに、従来の靴と同じく上記アウトソール３０の後足部が上記甲被２０の踵を包むように上方へ延長されるように構成されることもできる。
【００３６】
上記では、上記甲被２０と上記アウトソール３０を結合する方法の一例で、結合手段として上記締結具６０と固定具７０を利用した方法を挙げたが、これに限定されないで、上記結合手段としてはベルクロテープ、フックなど従来周知の多様な結合手段が利用されることができることは勿論である。
【００３７】
また、上記甲被２０と上記アウトソール３０を結合する方法として別途の結合手段を利用しないで、上記甲被２０を上記アウトソール３０に嵌合する方法も排除しない。即ち、アウトソール３０が図１に示したような形状に構成されて、前足部はカバー４０によって上記甲被２０の足指挿入部２５が固定され、後足部は上記アウトソール３０が踵を包むように上方へ延長されるように突出されて、上記甲被２０の踵部分が上記アウトソール３０の突出された踵部分に嵌合されるように構成されることもできる。この場合、別途の結合手段が甲被の足甲部位にさらに備えられることもできるが、このような結合手段がなくても構成されることができる。
【００３８】
上述したような構成による本発明による一体型アウトソールが備えられる５本指靴によれば、従来５本指靴の長所である優れた通気性及び足指の形態変更がなしに健康な足を保持するような機能をそのまま有しながら、外部危険物に対して足を保護する機能及び靴の汚染防止機能が向上された５本指靴が提供される。
【００３９】
本発明は上述した実施形態に限定されないで、本発明の要旨を逸脱しない範囲内で、当該発明が属する分野において通常の知識を有する者であれば誰でも多様な変更実施が可能な範囲まで本発明の技術的精神があると言うべきである。
【符号の説明】
【００４０】
１０  靴
２０  甲被
２５  足指挿入部
３０  アウトソール
４０  カバー
５０  補助カバー
６０  締結具
７０  固定具
【図１】
2013502973.tif 000003
【図２】
2013502973.tif 000004
【図３】
2013502973.tif 000005
【図４】
2013502973.tif 000006
【図５】
2013502973.tif 000007
【国際調査報告】
2013502973.tif 000008
2013502973.tif 000009
2013502973.tif 000010
2013502973.tif 000011